(57)【要約】【課題】構造が簡単で、大容量の太陽光を採光して広い範囲の被採光領域に照射することができる。【解決手段】所定の高さ有する建築物Ｂの太陽光を直接受光できる屋上に設置され、その受光された太陽光を所定の被採光領域Ｒに向けて照射するものであり、太陽光を反射する第１反射面１１ａを有する第１反射体１０ａと、その第１反射体１０ａの第１反射面１１ａの上方に所定距離を離して設置され、その第１反射面１１ａから照射されてくる光を被採光領域Ｒ側に向けて反射する第２反射面２１ａを有する第２反射体２０ａと、を備えた太陽光採光装置１Ａを提供する。【選択図】図１
2014049382.tif 000002
【特許請求の範囲】
【請求項１】
建築物の太陽光を直接受光できる場所に設置され、その受光された太陽光を所定の被採光領域に向けて照射する太陽光採光装置であって、
太陽光を反射する第１反射面を有する第１反射体と、
該第１反射体の第１反射面の上方に所定距離を離して設置され、その第１反射面から照射されてくる光を前記被採光領域側に向けて反射する第２反射面を有する第２反射体と、
を備えたことを特徴とする太陽光採光装置。
【請求項２】
前記第２反射体の第２反射面は、前記第１反射体の第１反射面の位置よりも前記被採光領域側にずらして設けられていることを特徴とする請求項１に記載の太陽光採光装置。
【請求項３】
前記第１反射体の第１反射面及び前記第２反射体の第２反射面の平面形状はそれぞれ長方形を呈し、その長方形の長辺方向が東西方向に向けてそれぞれ設置されることを特徴とする請求項１又は２に記載の太陽光採光装置。
【請求項４】
前記第１反射体の第１反射面は水平方向、又は水平方向に対して所定の角度をもって設けられることを特徴とする請求項１乃至３のいずれか１項に記載の太陽光採光装置。
【請求項５】
前記第１反射体は、回動自在に設けられることを特徴とする請求項１乃至４のいずれか１項に記載の太陽光採光装置。
【請求項６】
前記第１反射体の第１反射面は、凹曲面又はＳ字曲面に形成されていることを特徴とする請求項１乃至５のいずれか１項に記載の太陽光採光装置。
【請求項７】
前記第１反射体の第１反射面は、中央に位置する主反射面と、その主反射面の相対する両片にそれぞれ接するとともに、前記主反射面に対して所定の傾斜角度をもって接続された補助反射面と、からなることを特徴とする請求項１乃至５のいずれか１項に記載の太陽光採光装置。
【請求項８】
前記第２反射体の第２反射面は水平方向、又は水平方向に対して所定の角度をもって設けられることを特徴とする請求項１乃至７のいずれか１項に記載の太陽光採光装置。
【請求項９】
前記第２反射体は、回動自在に設けられることを特徴とする請求項１乃至８のいずれか１項に記載の太陽光採光装置。
【請求項１０】
前記第２反射体の第２反射面は、凸曲面に形成されていることを特徴とする請求項１乃至９のいずれか１項に記載の太陽光採光装置。
【請求項１１】
前記第２反射体は、ルーバー状に形成されていることを特徴とする請求項１乃至７のいずれか１項に記載の太陽光採光装置。
【請求項１２】
前記第２反射体の第２反射面は、粗面処理が施されていることを特徴とする請求項１乃至１１のいずれか１項に記載の太陽光採光装置。
【請求項１３】
請求項１乃至１２のいずれか１項に記載の太陽光採光装置を用いた太陽光採光システムであって、
複数の前記太陽光採光装置を設置して所定の被採光領域に向けて照射することを特徴とする太陽光採光システム。
【発明の詳細な説明】
【技術分野】
【０００１】
本発明は、太陽光を建築物の北側に位置するような太陽光の届きにくい箇所に導いて照射する太陽光採光装置、及びその装置を用いた太陽光採光システムに関する。
【背景技術】
【０００２】
従来の太陽光採光装置としては、例えば特許文献１に示されるものが知られている。この太陽光採光装置は、太陽光を集光する集光部と、その集光部を太陽に追従させる追尾装置と、上記集光部が集光した太陽光を所定の方向に反射する反射部と、その反射部が反射した光の拡散を制御する光拡散抑制部とで構成されている。
【０００３】
上記従来の太陽光採光装置は、追尾装置によって集光部を常に自動的に太陽に向けて集光し、その集光した光を反射部によって反射するとともに、光拡散抑制部によって所定の面積の光が得られるようにしているため、太陽光を効率よく集光することができる。
【先行技術文献】
【特許文献】
【０００４】
【特許文献１】特開２００２−８１７６０号公報
【発明の概要】
【発明が解決しようとする課題】
【０００５】
しかしながら、上記従来の太陽光採光装置は、太陽の軌道に基づいて回動シリンダや旋回モータを駆動制御して太陽光を自動的に追尾して集光するようにしているので、装置が複雑で設備費が嵩む欠点があるとともに、入念なメンテナンスを必要としていてランニング費用が増大するという欠点があった。
【０００６】
また、上記従来の太陽光採光装置は、複雑な制御機構を介して制御されるため、装置の大型化が難しく、大容量の太陽光を採光し、その採光した太陽光を広い範囲に導いて照射するには不向きであった。
【０００７】
本発明は、上述する問題点に鑑みてなされたもので、構造が簡単で、しかも、大容量の太陽光を採光して広い範囲を照射することのできる太陽光採光装置、及びその太陽光採光装を用いた太陽光採光システムを提供することを目的とする。
【課題を解決するための手段】
【０００８】
上記目的を達成するため、本発明に係る太陽光採光装置では、建築物の太陽光を直接受光できる場所に設置され、その受光された太陽光を所定の被採光領域に向けて照射する太陽光採光装置であって、太陽光を反射する第１反射面を有する第１反射体と、第１反射体の第１反射面の上方に所定距離を離して設置され、その第１反射面から照射されてくる光を被採光領域側に向けて反射する第２反射面を有する第２反射体と、を備えたことを特徴としている。
【０００９】
本発明では、第１反射面及び第２反射面を有するので、これら反射面の面積を大きくすることができるから大容量の太陽光を被採光領域に照射することができる。そして、第１反射体の上方に第２反射体を所定角度で配置するといった簡単な構成であり、複雑な構造の可動部分を有しないことから、安価に実施できるとともに、メンテナンスフリーで実施することができる。
【００１０】
また、本発明に係る太陽光採光装置では、第２反射体の第２反射面は、第１反射体の第１反射面の位置よりも被採光領域側にずらして設けられていることが好ましい。
【００１１】
上記構成からなる太陽光採光装置では、第２反射面が第１反射面よりも被採光領域側に張り出した状態で設けることができるので、被採光領域側に効率よく太陽光を照射することができる。
【００１２】
また、本発明に係る太陽光採光装置では、第１反射体の第１反射面及び第２反射体の第２反射面の平面形状はそれぞれ長方形を呈し、その長方形の長辺方向が東西方向に向けてそれぞれ設置されることが好ましい。
【００１３】
上記構成からなる太陽光採光装置では、第１反射面及び第２反射面の長辺方向が東西方向に向けられているので、被採光領域が建築物の北側に位置する場合に、その被採光領域に向けて太陽光を効果的に取り入れることができる。
【００１４】
また、本発明に係る太陽光採光装置では、第１反射体の第１反射面は水平方向、又は水平方向に対して所定の角度をもって設けられることが好ましい。
【００１５】
このような構成により、第１反射面の角度を選択して設置することができるので、第２反射面に向けて太陽光を効果的に照射させることができる。とくに冬期、夏期において、所定方向への取光効率を高めることができる。
【００１６】
また、本発明に係る太陽光採光装置では、第１反射体は、回動自在に設けられることが好ましい。
【００１７】
この場合、第１反射面に対して容易に、かつ好適に角度を調整することができるので、少ない面積でも第２反射面に向けて太陽光を効果的に照射させることがでる。
【００１８】
また、本発明に係る太陽光採光装置では、第１反射体の第１反射面は、凹曲面又はＳ字曲面に形成されていてもよい。
【００１９】
この場合には、第１反射面が曲面状に湾曲しているので、第１反射面が受光した所望の光線を集光させて第２反射面に向けて照射することができる。Ｓ字曲面の場合には、集光のみでなく、所望の方向への取光も可能となる。
【００２０】
また、本発明に係る太陽光採光装置では、第１反射体の第１反射面は、中央に位置する主反射面と、その主反射面の相対する両片にそれぞれ接するとともに、主反射面に対して所定の傾斜角度をもって接続された補助反射面と、からなる構成であってもよい。
【００２１】
このような構成とすることで、主反射面の相対する両片側に補助反射面が設けられるので、これら補助反射面を介しても太陽光を第２反射面に向けて照射させることができるので、より多くの太陽光を被採光領域に照射させることができる。
【００２２】
また、本発明に係る太陽光採光装置では、第２反射体の第２反射面は水平方向、又は水平方向に対して所定の角度をもって設けるようにしてもよい。
【００２３】
上記構成からなる太陽光採光装置では、第１反射面の角度に応じて第２反射面の角度を選択して設置することができるので、所望の被採光領域に向けて太陽光を照射させることができる。
【００２４】
また、本発明に係る太陽光採光装置では、第２反射体は、回動自在に設けられることが好ましい。
【００２５】
上記構成からなる太陽光採光装置は、第２反射面に容易に、かつ好適に角度を調整することができるので、所望の被採光領域に向けて太陽光を照射させることができる。
【００２６】
また、本発明に係る太陽光採光装置では、第２反射体の第２反射面は、凸曲面に形成されていることが好ましい。
【００２７】
この場合には、第２反射面が凸曲面に形成されているので、第１反射面より受光した光線を拡散させて照射することができ、これにより被採光領域を広げることができる。
【００２８】
また、本発明に係る太陽光採光装置では、第２反射体は、ルーバー状に形成されていることが好ましい。
【００２９】
上記構成からなる太陽光採光装置では、第２反射体がルーバー状に形成されているので、第１反射面の角度に応じて第２反射面の角度を調整することができる。また、風圧に耐える第２反射体とすることができる。
【００３０】
また、本発明に係る太陽光採光装置では、第２反射体の第２反射面は、粗面処理が施されていることが好ましい。
【００３１】
この場合には、第２反射面が粗面処理が施されているので、第１反射面より受光した光線を拡散させて照射することができ、しかも被採光領域から第２反射面を直接見たときに眩しくなく、目に優しい光を得ることができる。
【００３２】
また、本発明に係る太陽光採光システムでは、上述した太陽光採光装置を用いた太陽光採光システムであって、複数の太陽光採光装置を設置して所定の被採光領域に向けて照射することを特徴としている。
【００３３】
上記構成からなる太陽光採光システムでは、上述の太陽光採光装置を用いているので、太陽光採光システムを容易に実現することができる。
【発明の効果】
【００３４】
本発明の太陽光採光装置及び太陽光採光システムによれば、構造が簡単であるので安価に実施でき、大容量の太陽光を採光して広い範囲の被採光領域を照射することができ、しかも可動部分を有していないので、メンテナンスフリーで実施することができる。
【図面の簡単な説明】
【００３５】
【図１】（ａ）は、本発明の第１の実施の形態による太陽光採光装置を建築物の屋上に設置したときの平面図、（ｂ）は、（ａ）のＸ１−Ｘ１線断面図である。
【図２】第２の実施の形態による太陽光採光装置を建築物の屋上に設置したときの断面図である。
【図３】第３の実施の形態による太陽光採光装置を建築物の屋上に設置したときの断面図である。
【図４】（ａ）は、第１反射体の第１反射面を凹状に形成した第１変形例を示し、（ｂ）は、第１反射体の第１反射面をＳ字状の曲面に形成した第２変形例を示している。
【図５】第２反射体の第２反射面を下に凸状の曲面に形成した第３変形例を示している。
【図６】第２反射体をルーバー状に形成した第４変形例を示している。
【図７】第４の実施の形態による太陽光採光装置を建築物の屋上に設置したときの断面図である。
【図８】図７に示される太陽光採光装置を大規模集合住宅の屋上に設置したときの平面図である。
【発明を実施するための形態】
【００３６】
以下、本発明の実施の形態による太陽光採光装置及び太陽光採光システムについて、図面に基づいて説明する。なお、本発明は、この実施の形態により限定されるものではなく、また、下記の実施の形態における構成要素には、当業者が置換可能かつ容易なもの、あるいは実質的に同一ものも含まれる。
【００３７】
（第１の実施の形態）
図１（ａ）、（ｂ）に示すように、本実施の形態の太陽光採光装置１Ａは、所定の高さ有する建築物Ｂの太陽光を直接受光できる場所（ここでは屋上）に設置され、その受光された太陽光を所定の被採光領域Ｒに向けて照射するものであり、第１反射体１０ａと第２反射体２０ａとを備えている。
なお、図１（ａ）において、建築物Ｂは、図の上側が「北」の方位とされている。したがって、この建築物Ｂにおける太陽の軌跡は、図の右側から左側に移動することとなる。また、この建築物Ｂの北側は、当然に建築物Ｂの日陰となり日差しが閉ざされることとなる。
【００３８】
図１（ａ）、（ｂ）に示すように、第１反射体１０ａは、平面形状が長方形で所定厚さの金属板等の板材からなり、その表面が研磨処理あるいはメッキ処理等により鏡面処理がなされて第１反射面１１ａに形成されている。そして、この第１反射体１０ａは、第１反射面１１ａを上にし、かつ、長手方向Ｙの一辺側を建築物Ｂの屋上の北側（図１（ａ）において上側）の縁に沿って設置されている。なお、この第１反射体１０ａの設置に当たっては、第１反射面１１ａが建築物Ｂの屋上の面に沿って水平方向を保って設置されるが、第１反射面１１ａ上に雨水が溜らないように少し傾斜して設けられる。
【００３９】
第２反射体２０ａは、第１反射体１０ａと同様に平面形状が長方形で、その長辺の長さが第１反射体１０ａと同一で、その短辺の長さが第１反射体１０ａの長さより少し短く形成されていて、所定厚さの金属板等の板材から構成されている。そして、この第２反射体２０ａの下方の表面は、研磨処理あるいはメッキ処理等により鏡面処理がなされて第２反射面２１ａに形成されている。
【００４０】
この第２反射体２０ａは、第２反射面２１ａが第１反射体１０ａの第１反射面１１ａと対向するように下向きに設置するとともに、その第１反射面１１ａから所定距離だけ離れ、かつ、長手方向Ｙの一辺側を建築物Ｂの屋上の北側の縁Ｂａの位置から外側に少し突出するようにして支持部材２２を用いて設置されている。そして、この第２反射体２０ａは、第２反射面２１ａの表面が水平でなく第１傾斜角度θ１（図１（ｂ）参照）だけ少し傾きをつけて支持部材２２に取り付けられている。この第２反射面２１ａの表面の傾き（第１傾斜角度θ１）は、冬至において建築物Ｂの日陰となる被採光領域Ｒに太陽光Ｓ０を照射できるように決められ、図示の例では、北側（図１（ｂ）において右側）が低くなるように傾斜が付されている。
なお、第２反射体２０ａは、例えば夏季や冬季毎に手動操作により第１傾斜角度θ１が変更されるが、自動制御により所定角度に調整することができる構成とすることも可能である。
【００４１】
上記構成からなる太陽光採光装置１Ａは、太陽光Ｓ０が第１反射体１０ａの第１反射面１１ａに照射されると、その照射された第１反射太陽光Ｓ１は、図１（ｂ）に一点鎖線で示されるように、第２反射体２０ａの第２反射面２１ａに向けて照射される。そして、その第１反射面１１ａから照射された第１反射太陽光Ｓ１は、第２反射面２１ａにより建築物Ｂの日陰となる被採光領域Ｒに第２反射体陽光Ｓ２として照射される。
【００４２】
次に、上述した太陽光採光装置１Ａの作用について、図面に基づいて説明する。
本実施の形態では、図１（ａ）、（ｂ）に示すように、第１反射体１０ａの第１反射面１１ａ及び第２反射体２０ａの第２反射面２１ａの面積を大きくすることにより大容量の太陽光を被採光領域に照射することができる。そして、第１反射体１０ａの上方に第２反射体２０ａを所定角度で配置するといった簡単な構成であり、複雑な構造の可動部分を有しないことから、安価に実施できるとともに、メンテナンスフリーで実施することができる。
【００４３】
また、本実施の形態の太陽光採光装置１Ａによれば、第２反射面２１ａが第１反射面１１ａよりも被採光領域Ｒ側に張り出した状態で設けることができるので、被採光領域Ｒ側に効率よく太陽光を照射することができる。
さらに、第１反射面１１ａ及び第２反射面２１ａの長辺方向Ｙが東西方向に向けられているので、本実施の形態のように被採光領域Ｒが建築物Ｂの北側に位置する場合に、その被採光領域Ｒに向けて太陽光を効果的に取り入れることができる。
【００４４】
さらにまた、本実施の形態の太陽光採光装置１Ａでは、第１反射面１１ａの角度に応じて第２反射面２１ａの角度を選択して設置することができるので、所望の被採光領域Ｒに向けて太陽光を照射させることができる。
【００４５】
上述のように本実施の形態による太陽光採光装置及び太陽光採光システムでは、構造が簡単であるので安価に実施でき、大容量の太陽光を採光して広い範囲の被採光領域Ｒを照射することができ、しかも可動部分を有していないので、メンテナンスフリーで実施することができる。
【００４６】
次に、本発明の太陽光採光装置及び太陽光採光システムによる他の実施の形態について、添付図面に基づいて説明するが、上述の第１の実施の形態と同一又は同様な部材、部分には同一の符号を用いて説明を省略し、第１の実施の形態と異なる構成について説明する。
【００４７】
（第２の実施の形態）
図２に示す第２の実施の形態の太陽光採光装置１Ｂは、建築物Ｂの屋上に設置したものである。上記太陽光採光装置１Ａと異なる点は、第１反射体１０ｂを上面が第２傾斜角度θ２だけ傾斜した架台１２上に設置したことである。このように第１反射体１０ｂが上面の傾斜した架台１２上に設置されると、第１反射面１１ｂに向けて照射された太陽光Ｓ０を無駄なく第１反射太陽光Ｓ１として第２反射面２１ａに向けて照射することができ、第１反射体１０ｂを小型化することができる。
この場合、第１反射面１１ａの角度を選択して設置することができるので、第２反射面２１ａに向けて太陽光を効果的に照射させることができる。とくに冬期、夏期において、所定方向への取光効率を高めることができる。
【００４８】
（第３の実施の形態）
また、図３に示す第３の実施の形態の太陽光採光装置１Ｃは、上記太陽光採光装置１Ｂと異なる点は、第１反射体１０ｂが可動取付機構１３により回動自在に設けられていることである。この可動取付機構１３は、建築物Ｂの屋上に固定して設置される第１支持片１３ａと、第１反射体１０ｂの下面側に設けられる第２支持片１３ｂと、これら支持片１３ａ，１３ｂを貫通する支軸１３ｃとで構成されている。そして、この支軸１３ｃの軸心方向は、第１反射体１０ｂを平面から見たときの長手方向Ｙ（図１（ａ）参照）と同じ方向に向けられている。
【００４９】
上記構成からなる太陽光採光装置１Ｃは、第１反射体１０ｂが支軸１３ｃを介して回動し、所定の位置で固定することができるので、第１反射面１１ｂの傾きを容易に調整することができる構成となっている。なお、第１反射面１１ｂの傾きの調整としては、太陽の移動に追従する追尾装置を設けて常に太陽に向けて集光するように自動調整することも可能である。しかし、第１反射面１１ｂ及び第２反射面２１ａの面積を大きくすることができるので、第１反射面１１ｂの傾きを固定しても、太陽光を被採光領域Ｒに十分に照射することができる。
本第３の実施の形態では、第１反射面１１ｂに対して容易に、かつ好適に角度を調整することができるので、少ない面積でも第２反射面２１ａに向けて太陽光を効果的に照射させることができる。
【００５０】
（変形例）
上述した各第１反射体１０ａ、１０ｂの第１反射面１１ａ、１１ｂは、その平面形状は扁平状に形成されているが、これを図４（ａ）に示す第１変形例のような、断面視で凹状に湾曲して下向きに突となる凹曲面を呈する第１反射面１１ｃを備えた第１反射体１０ｃとすることもできる。この場合、第１反射面１１ｃが曲面状に湾曲しているので、第１反射面１１ｃが受光した所望の光線を集光させて第２反射面に向けて照射することができる。
あるいは、図４（ｂ）に示す第２変形例のような、断面視でＳ字曲面を有する第１反射面１１ｄを備えた第１反射体１０ｄとすることもできる。このＳ字曲面の場合には、集光のみでなく、所望の方向への取光も可能となる。
なお、第１反射体の第１反射面の断面形状をどのような形にするかは、太陽光を採光する領域の種類や採光する地形等によって決められる。
【００５１】
上述した第２反射体２０ａの第２反射面２１ａは、その平面形状は扁平状に形成されているが、これを図５に示す第３変形例のような、断面したときに下向きに突となる凸曲面に形成した第２反射面２１ｂを備えた第２反射体２０ｂとすることもできる。この場合には、第２反射面２１ｂが凸曲面に形成されているので、第１反射面より受光した光線を拡散させて照射することができ、これにより被採光領域を広げることができる。
なお、第２反射体２０ｂの第２反射面２１ｂの断面形状をどのような形にするかは、太陽光を採光する領域の種類や採光する地形等によって決められる。
【００５２】
また、上述した各第２反射体２０ａ、２０ｂの第２反射面２１ａ、２１ｂは、その一枚の板状に形成されているが、これを図６に示す第４変形例のような、細片に分割したルーバー状に形成した第２反射体２０ｃとすることもできる。このルーバー状に形成した第２反射体２０ｃの各細片に分割された下面には、第２反射面が形成される。このように第２反射体２０ｃがルーバー状に形成されているので、第１反射面の角度に応じて第２反射面の角度を調整することができる。また、風圧に耐える第２反射体２０ｃとすることができる。
【００５３】
（第４の実施の形態）
図７に示すように、第４の実施の形態による太陽光採光装置１Ｄでは、第１反射体１０ｅは、上述した各第１反射体１０ａ、１０ｂ、１０ｃ、１０ｄが一枚の板状から形成されているのに対して、３枚の板状で形成されている。すなわち、この第１反射体１０ｅは、中央に位置する扁平な板面上に形成される主反射面１１ｅと、その主反射面１１ｅの相対する両片にそれぞれ接して設けられる扁平な板面上に形成される補助反射面１１ｆ、１１ｇとで構成されている。なお、この太陽光採光装置１Ｄの第２反射体は、上述した図１〜図３に示される第２反射体２０ａと同様に構成されている。ただし、図示の例では、第２反射面２１ａは被採光領域の位置関係から略水平状に設置されている。
【００５４】
上記構成からなる太陽光採光装置１Ｄは、主反射面１１ｅの相対する両片側に補助反射面１１ｆ、１１ｇが設けられるので、これら補助反射面１１ｆ、１１ｇを介しても太陽光Ｓ０を第２反射面２１ａに向けて照射させることができるので、より多くの太陽光を被採光領域に照射させることができる。また、太陽光採光装置１Ｄは、上述した図３と同様に、可動取付機構１３により回動自在に設けられているので、主反射面１１ｅ、及び補助反射面１１ｆ、１１ｇの傾きを調整でき、太陽光を被採光領域に十分に照射させることができる。なお、主反射面１１ｅに対して各補助反射面１１ｆ、１１ｇの傾きを独自に調整できるようにすることもできる。
【００５５】
（第５の実施の形態）
次に、図８に示す第５の実施の形態では、上述した太陽光採光装置１Ｄを大規模集合住宅の屋上に設置したものである。この大規模集合住宅は、Ａ棟〜Ｄ棟によってロ字状（矩形状）に囲まれた平面視形状をなし、東西方向に伸びるＢ棟及びＤ棟とが対向するとともに、Ｂ棟の北側に位置し、Ｂ棟とＤ棟との間に位置するＡ棟及びＣ棟が対向して位置している。したがって、この大規模集合住宅では、必然的にＡ棟及びＣ棟の日照が制限されることになる。
【００５６】
上述の日照問題の解決のために、Ｂ棟の屋上の北側に位置する箇所には、太陽光採光装置１Ｄが複数基（図示の例では３基）設置されている。太陽光採光装置１Ｄは、太陽が東から西に移動するに従ってＡ棟からＣ棟に向けて順に太陽光を照射させることができる（図８の一点鎖線参照）。これにより、Ａ棟及びＣ棟の日照問題は改善される。
【００５７】
以上、本発明による太陽光採光装置及び太陽光採光システムの実施の形態について説明したが、本発明は上記の実施の形態に限定されるものではなく、その趣旨を逸脱しない範囲で適宜変更可能である。
【００５８】
例えば、本実施の形態では、第２反射体２０ａの第２反射面２１ａの表面は、第１反射体１０ａの第１反射面１１ａの表面と同様に鏡面処理されているが、これをナシジ仕上げ処理等の粗面処理を施すようにしてもよい。第２反射面２１ａの表面に粗面処理が施されると、被採光領域から第２反射面２１ａを直接見たときに眩しくなく、目に優しい光を得ることができる。なお、この粗面処理は、上述した図２、図３、図５、図６及び図７に示される各第２反射面においても採用することができる。第２反射面が粗面処理が施されているので、第１反射面より受光した光線を拡散させて照射することができ、しかも被採光領域から第２反射面を直接見たときに眩しくなく、目に優しい光を得ることができる。
【００５９】
また、本第１の実施の形態では、第２反射体２０ａの第２反射面２１ａは、第１反射体１０ａの第１反射面１１ａの位置よりも被採光領域Ｒ側にずらして、建築物Ｂの北側の縁Ｂａよりも張り出した状態で設けているが、このような配置に限定されることはない。すなわち、第２反射体２０ａ（第２反射面２１ａ）の北側の端部が建築物Ｂの縁Ｂａと同位置、あるいは南側の位置であってもかまわない。
【００６０】
さらに、本実施の形態では、第１反射体の第１反射面及び第２反射体の第２反射面の平面形状はそれぞれ長方形を呈し、その長方形の長辺方向Ｙが東西方向に向けてそれぞれ設置されているが、この配置方向に制限されることはない。要は、前記反射面の形状に応じて、前記長辺方向Ｙを南北方向に向けて配置してもよいし、他の方角に向けて配置することも可能である。
【００６１】
また、第４の実施の形態の第１反射体１０ｅは、主反射面１１ｅと、その両片のそれぞれに接続する補助反射面１１ｆ、１１ｇと、を有しているが、３枚の板状であることに限定されることはなく、例えば５枚の板状（１枚の主反射面と、その両片のそれぞれに２枚の補助反射面）を有する構成であってもかまわない。
【００６２】
また、上述の例では、被採光領域Ｒは建築物Ｂの日陰になる例を示したが、山蔭になるような場所であってもよい。
そして、本実施の形態では、太陽光採光装置１Ａ〜１Ｄを建築物の屋上に配置しているが、屋上であることに制限されるものでもない。
【００６３】
また、上記の実施の形態における第１反射体や第２反射体の傾斜角度の変更は、手動操作及び自動制御のいずれであってもよい。そして、傾斜角度を変更するタイミングも、夏季や冬季にそれぞれ１回ずつ変更することに限らず、適宜なタイミングで良く、且つ変更回数も任意に設定することができる。
【００６４】
その他、本発明の趣旨を逸脱しない範囲で、上記した実施の形態における構成要素を周知の構成要素に置き換えることは適宜可能である。
【符号の説明】
【００６５】
Ｂ  建築物
１Ａ、１Ｂ、１Ｃ、１Ｄ  太陽光採光装置
１０ａ、１０ｂ、１０ｃ、１０ｄ、１０ｅ  第１反射体
１１ａ、１１ｂ、１１ｃ、１１ｄ  第１反射面
１１ｅ  主反射面（第１反射面）
１１ｆ、１１ｇ  補助反射面（第１反射面）
１２  架台
１３  可動取付機構
１３ａ、１３ｂ  支持片
１３ｃ  支軸
２０ａ、２０ｂ、２０ｃ  第２反射体
２１ａ、２１ｂ、２１ｃ  第２反射面
２２  支持部材
【図１】
2014049382.tif 000003
【図２】
2014049382.tif 000004
【図３】
2014049382.tif 000005
【図４】
2014049382.tif 000006
【図５】
2014049382.tif 000007
【図６】
2014049382.tif 000008
【図７】
2014049382.tif 000009
【図８】
2014049382.tif 000010